(57)【要約】【課題】急速充電を行う場合に複数の電池モジュールを適正に充電することができる急速充電装置を提供する。【解決手段】急速充電装置１は、充電の場合には複数の電池モジュール１１を直列に接続し直列に接続された電池モジュール１１に充電器３を接続し、放電の場合には複数の電池モジュール１１のうち一つの電池モジュール１１を選択して負荷部５に接続する。そして、急速充電装置１は、放電の場合に負荷部５に接続された一つの電池モジュール１１の充電量が所定量低下すると、充電量が最も多い他の電池モジュール１１を負荷部５に接続する。【選択図】図１
2018033264.tif 000002
【特許請求の範囲】
【請求項１】
電力を蓄電する複数の電池モジュールと、
充電の場合には前記複数の電池モジュールを直列に接続し電力を供給する充電器を前記直列に接続された電池モジュールに接続し、放電の場合には前記複数の電池モジュールのうち一つの前記電池モジュールを選択して負荷部に接続する切替部と、
前記切替部を制御し、放電の場合に前記複数の電池モジュールの充電量を同等にする同等化処理を実行する制御部と、
を備えることを特徴とする急速充電装置。
【請求項２】
前記制御部は、
放電の場合に前記負荷部に接続された前記一つの電池モジュールの充電量が所定量低下すると、充電量が最も多い前記電池モジュールを前記負荷部に接続することで前記同等化処理を実行する請求項１に記載の急速充電装置。
【請求項３】
前記複数の電池モジュールは、
第一電池モジュールと、第二電池モジュールと、を含んで構成され、
前記切替部は、
前記第一電池モジュールの陰極に接続される第一接点と、前記第二電池モジュールの陽極に接続される第二接点とを有し、前記第一接点と前記第二接点とを接続する第一スイッチと、
前記第一電池モジュールの陽極に接続される第三接点と、前記第二電池モジュールの陽極に接続される第四接点と、前記負荷部の陰極に接続される第五接点とを有し、前記第五接点を前記第三接点又は前記第四接点に切り替え接続する第二スイッチと、
前記第一電池モジュールの陰極に接続される第六接点と、前記第二電池モジュールの陰極に接続される第七接点と、前記負荷部の陽極に接続される第八接点とを有し、前記第八接点を前記第六接点又は前記第七接点に切り替え接続する第三スイッチと、を備え、
充電の場合には、前記第一スイッチの第一接点と前記第一スイッチの第二接点とを接続することで、前記第一及び第二電池モジュールを直列に接続した電池モジュール直列回路を形成して当該電池モジュール直列回路に前記充電器を接続可能にし、
放電の場合には、前記第二スイッチの第三接点と前記第二スイッチの第五接点とを接続し、かつ、前記第三スイッチの第八接点と前記第三スイッチの第六接点とを接続することで、前記第一電池モジュールを前記負荷部に接続可能にするか、又は、
放電の場合には、前記第二スイッチの第四接点と前記第二スイッチの第五接点とを接続し、かつ、前記第三スイッチの第八接点と前記第三スイッチの第七接点とを接続することで、前記第二電池モジュールを前記負荷部に接続可能にする請求項１又は２に記載の急速充電装置。
【発明の詳細な説明】
【技術分野】
【０００１】
本発明は、急速充電装置に関する。
【背景技術】
【０００２】
従来、例えば、電気自動車（ＥＶ；Ｅｌｅｃｔｒｉｃ  Ｖｅｈｉｃｌｅ）等の車両に搭載される蓄電池を急速に充電する急速充電装置がある。急速充電装置は、例えば、充電速度を上げるために相対的に高い電圧で蓄電池を充電するものがある。この場合、急速充電装置は、例えば、蓄電池が複数の電池モジュールから構成され、充電の場合には複数の電池モジュールを直列に接続し、放電の場合には充電よりも電圧が下がるように電池モジュールを負荷部に接続する（例えば、特許文献１）。
【先行技術文献】
【特許文献】
【０００３】
【特許文献１】特開２０１４−１９３０３３号公報
【発明の概要】
【発明が解決しようとする課題】
【０００４】
ところで、急速充電装置は、急速充電を行う場合に複数の電池モジュールを適正に充電することが望まれている。
【０００５】
そこで、本発明は、上記に鑑みてなされたものであって、急速充電を行う場合に複数の電池モジュールを適正に充電することができる急速充電装置を提供することを目的とする。
【課題を解決するための手段】
【０００６】
上述した課題を解決し、目的を達成するために、本発明に係る急速充電装置は、電力を蓄電する複数の電池モジュールと、充電の場合には前記複数の電池モジュールを直列に接続し電力を供給する充電器を前記直列に接続された電池モジュールに接続し、放電の場合には前記複数の電池モジュールのうち一つの前記電池モジュールを選択して負荷部に接続する切替部と、前記切替部を制御し、放電の場合に前記電池モジュールの充電量を同等にする同等化処理を実行する制御部と、を備えることを特徴とする。
【０００７】
また、上記急速充電装置において、前記制御部は、放電の場合に前記負荷部に接続された前記一つの電池モジュールの充電量が所定量低下すると、充電量が最も多い前記電池モジュールを前記負荷部に接続することで前記同等化処理を実行することが好ましい。
【０００８】
また、上記急速充電装置において、前記複数の電池モジュールは、第一電池モジュールと、第二電池モジュールと、を含んで構成され、前記切替部は、前記第一電池モジュールの陰極に接続される第一接点と、前記第二電池モジュールの陽極に接続される第二接点とを有し、前記第一接点と前記第二接点とを接続する第一スイッチと、前記第一電池モジュールの陽極に接続される第三接点と、前記第二電池モジュールの陽極に接続される第四接点と、前記負荷部の陰極に接続される第五接点とを有し、前記第五接点を前記第三接点又は前記第四接点に切り替え接続する第二スイッチと、前記第一電池モジュールの陰極に接続される第六接点と、前記第二電池モジュールの陰極に接続される第七接点と、前記負荷部の陽極に接続される第八接点とを有し、前記第八接点を前記第六接点又は前記第七接点に切り替え接続する第三スイッチと、を備え、充電の場合には、前記第一スイッチの第一接点と前記第一スイッチの第二接点とを接続することで、前記第一及び第二電池モジュールを直列に接続した電池モジュール直列回路を形成して当該電池モジュール直列回路に前記充電器を接続可能にし、放電の場合には、前記第二スイッチの第三接点と前記第二スイッチの第五接点とを接続し、かつ、前記第三スイッチの第八接点と前記第三スイッチの第六接点とを接続することで、前記第一電池モジュールを前記負荷部に接続可能にするか、又は、放電の場合には、前記第二スイッチの第四接点と前記第二スイッチの第五接点とを接続し、かつ、前記第三スイッチの第八接点と前記第三スイッチの第七接点とを接続することで、前記第二電池モジュールを前記負荷部に接続可能にすることが好ましい。
【発明の効果】
【０００９】
本発明に係る急速充電装置は、放電の場合に各電池モジュールの充電量を同等にする同等化処理を実行するので、急速充電を行う場合に複数の電池モジュールを適正に充電することができる。
【図面の簡単な説明】
【００１０】
【図１】図１は、実施形態に係る急速充電装置の直列接続の構成例を示す回路図である。
【図２】図２は、実施形態に係る急速充電装置の個別接続の構成例を示す回路図である。
【図３】図３は、実施形態に係る急速充電装置の充電における動作例を示すフローチャートである。
【図４】図４は、実施形態に係る急速充電装置の放電における動作例を示すフローチャートである。
【発明を実施するための形態】
【００１１】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１２】
〔実施形態〕
実施形態に係る急速充電装置について説明する。急速充電装置１は、蓄電池１０を急速に充電するものである。本実施形態では、急速充電装置１は、電気自動車（ＥＶ）やプラグインハイブリッドカー（ＰＨＥＶ；Ｐｌｕｇ−ｉｎ  Ｈｙｂｒｉｄ  Ｅｌｅｃｔｒｉｃ  Ｖｅｈｉｃｌｅ）、ハイブリッド電気自動車（ＨＥＶ；Ｈｙｂｒｉｄ  Ｅｌｅｃｔｒｉｃ  Ｖｅｈｉｃｌｅ）等の車両２に搭載される蓄電池１０を充電する例について説明する。以下、急速充電装置１について詳細に説明する。
【００１３】
急速充電装置１は、例えば、車両２の蓄電池１０に電力を充電するものである。急速充電装置１は、蓄電池１０と、切替部２０と、制御部３０とを備える。急速充電装置１は、外部の充電器（急速充電器）３にワイヤハーネス４等を介して接続され、当該充電器３から電力が供給されることにより蓄電池１０を充電する。充電器３は、例えば、図示しない急速充電スタンド等に設置されている。また、急速充電装置１は、蓄電池１０に充電された電力を負荷部５としてのインバータ５ａ及びモータジェネレータ５ｂに供給する。例えば、急速充電装置１は、蓄電池１０が車両２のインバータ５ａを介してモータジェネレータ５ｂに接続され、蓄電池１０の直流がインバータ５ａにより交流に変換されてモータジェネレータ５ｂに供給される。
【００１４】
蓄電池１０は、電力を蓄電する電池である。蓄電池１０は、蓄電した電力を負荷部５に供給する。蓄電池１０は、例えばリチウムイオン電池であり、複数の電池モジュール１１を含んで構成される。この例では、蓄電池１０は、二つの電池モジュール１１を含んで構成される。電池モジュール１１の各々は、第一電池モジュール１１Ａ又は第二電池モジュール１１Ｂともいう。蓄電池１０は、急速充電を可能とするために、二つの電池モジュール１１が充電の場合と放電の場合において異なる態様で接続される。例えば、蓄電池１０は、充電の場合には第一電池モジュール１１Ａと第二電池モジュール１１Ｂとが直列に接続され、放電の場合には第一電池モジュール１１Ａと第二電池モジュール１１Ｂとが個別に負荷部５に接続される。これにより、蓄電池１０は、充電の場合には放電の場合と比較して二倍程度の電圧で充電することが可能となり、急速に充電することができる。
【００１５】
蓄電池１０は、充電の場合には陽極が充電器３の陰極に接続され、陰極が充電器３の陽極に接続される。また、蓄電池１０は、放電の場合には陽極が負荷５の陰極に接続され、陰極が負荷５の陽極に接続される。蓄電池１０の各電池モジュール１１は、複数の電池セル１１ａ、１１ｂを含んで構成される。この例では、電池セル１１ａ、１１ｂの各々は、同じ電圧である。各電池モジュール１１は、それぞれ同じ数の電池セル１１ａ、１１ｂにより構成される。各電池モジュール１１は、例えば数十から数百の電池セル１１ａ、１１ｂが直列に接続されている。第一電池モジュール１１Ａの各電池セル１１ａが満充電である場合の電圧ＶＡと、第二電池モジュール１１Ｂの各電池セル１１ｂが満充電である場合の電圧ＶＢとは、同等の電圧である。
【００１６】
切替部２０は、電流が流れる電流経路を切り替えるものである。切替部２０は、後述する制御部３０からの切替信号に基づいて電流経路を切り替える。切替部２０は、第一電池モジュール１１Ａと第二電池モジュール１１Ｂとを直列に接続し、充電器３から第一及び第二電池モジュール１１Ａ、１１Ｂに流れる電流の経路を形成する。また、切替部２０は、第一電池モジュール１１Ａと第二電池モジュール１１Ｂとを個別に負荷部５に接続し、第一電池モジュール１１Ａ又は第二電池モジュール１１Ｂのいずれか一方から負荷部５に流れる電流の経路を形成する。先ず、各電池モジュール１１の直列接続について説明する。切替部２０は、第一スイッチ２１を備える。第一スイッチ２１は、第一電池モジュール１１Ａの陰極に接続される第一接点２１ａと、第二電池モジュール１１Ｂの陽極に接続される第二接点２１ｂとを備える。切替部２０は、切替信号に基づいて、第一電池モジュール１１Ａの陰極側の第一接点２１ａと第二電池モジュール１１Ｂの陽極側の第二接点２１ｂとを接続する。これにより、切替部２０は、複数の電池モジュール１１を直列に接続した電池モジュール直列回路Ｐを形成し、当該電池モジュール直列回路Ｐに充電器３を接続可能とする。この場合、急速充電装置１は、放電の場合の電圧よりも高電圧、例えば二倍程度の電圧で蓄電池１０を充電することができる。
【００１７】
次に、第一電池モジュール１１Ａと第二電池モジュール１１Ｂを個別に負荷部５に接続する例について説明する。切替部２０は、第二スイッチ２２と、第三スイッチ２３とを備える。第二スイッチ２２は、第一電池モジュール１１Ａの陽極に接続される第三接点２２ａと、第二電池モジュール１１Ｂの陽極に接続される第四接点２２ｂと、負荷部５の陰極に接続される第五接点２２ｃとを備える。第三スイッチ２３は、第一電池モジュール１１Ａの陰極に接続される第六接点２３ａと、第二電池モジュール１１Ｂの陰極に接続される第七接点２３ｂと、負荷部５の陽極に接続される第八接点２３ｃとを備える。
【００１８】
制御部３０は、切替部２０に接続され、切替部２０を制御するものである。制御部３０は、ＣＰＵ、記憶部を構成するＲＯＭ、ＲＡＭ及びインターフェースを含む周知のマイクロコンピュータを主体とする電子回路を含んで構成される。制御部３０は、切替部２０に切替信号を出力し、充電の場合には電池モジュール直列回路Ｐに切り替え、放電の場合には電池モジュール個別回路Ｑに切り替える。
【００１９】
切替部２０は、放電の場合には複数の電池モジュール１１のうち一つの電池モジュール１１を選択して負荷部５に接続する。例えば、切替部２０は、切替信号に基づいて、図２に示すように、第一電池モジュール１１Ａの陽極側の第三接点２２ａと負荷部５の陰極側の第五接点２２ｃとを接続し、さらに、負荷部５の陽極側の第八接点２３ｃと第一電池モジュール１１Ａの陰極側の第六接点２３ａとを接続する。これにより、切替部２０は、第一電池モジュール１１Ａを負荷部５に接続する電池モジュール個別回路Ｑを形成する。従って、急速充電装置１は、充電の場合の電圧よりも低電圧、例えば半分程度の電圧で蓄電池１０の第一電池モジュール１１Ａを放電することができる。
【００２０】
また、切替部２０は、切替信号に基づいて、第二電池モジュール１１Ｂの陽極側の第四接点２２ｂと負荷部５の陰極側の第五接点２２ｃとを接続し、かつ、負荷部５の陽極側の第八接点２３ｃと第二電池モジュール１１Ｂの陰極側の第七接点２３ｂとを接続する。これにより、切替部２０は、第二電池モジュール１１Ｂを負荷部５に接続する電池モジュール個別回路Ｑを形成する。従って、急速充電装置１は、充電の場合の電圧よりも低電圧、例えば半分程度の電圧で蓄電池１０の第二電池モジュール１１Ｂを放電することができる。
【００２１】
次に、図３を参照して急速充電装置１の充電における動作例について説明する。急速充電装置１は、充電が開始されたか否かを判定する（ステップＳ１）。例えば、急速充電装置１は、充電器３が接続され、充電器３から急速充電開始の信号が出力されると充電が開始されたと判定する。急速充電装置１は、充電が開始されたと判定した場合（ステップＳ１；Ｙｅｓ）、切替部２０を切り替えて電池モジュール直列回路Ｐを形成する（ステップＳ２）。次に、急速充電装置１は、充電器３から電池モジュール直列回路Ｐに電流を流し、直列に接続された各電池モジュール１１を充電する（ステップＳ３）。このとき、急速充電装置１は、ＣＶＳ（セルボルテージセンサー）により各電池セル１１ａ、１１ｂの電圧を監視し、他の電池セル１１ａ、１１ｂと比べて高電圧になった電池セル１１ａ、１１ｂに対して抵抗放電や他の電池セル１１ａ、１１ｂへの電力移送などを行って各電池セル１１ａ、１１ｂの電圧を均等化する。なお、充電器３は、電池モジュール直列回路Ｐの電圧に応じて、所定のＣレート（電池容量に対する電流値）により充電を行うように出力電圧を調整する。
【００２２】
次に、急速充電装置１は、図示しない電圧検出部により各電池モジュール１１の電圧を検出し、各電池モジュール１１の電圧が同等であるか否かを判定する（ステップＳ４）。急速充電装置１は、各電池モジュール１１の電圧が同等である場合（ステップＳ４；Ｙｅｓ）、充電が完了したか否かを判定する（ステップＳ５）。例えば、急速充電装置１は、各電池モジュール１１の少なくとも一方が充電終止電圧に到達したか否かを判定する。急速充電装置１は、各電池モジュール１１の少なくとも一方が充電終止電圧に到達し充電が完了した場合（ステップＳ５；Ｙｅｓ）、電池モジュール個別回路Ｑを形成して処理を終了する（ステップＳ６）。ここで、充電終止電圧とは、充電の終止を示す電圧であり、過充電を防止するために予め定められた電圧である。
【００２３】
なお、上述のステップＳ１で、急速充電装置１は、充電が開始されていないと判定した場合（ステップＳ１；Ｎｏ）、再度、充電を判定する。また、上述のステップＳ４で、急速充電装置１は、各電池モジュール１１の電圧が同等でない場合（ステップＳ４；Ｎｏ）、ステップＳ３に戻り、各電池セル１１ａ、１１ｂの電圧を均等化しながら各電池モジュール１１を充電する。また、上述のステップＳ５で、急速充電装置１は、各電池モジュール１１が充電終止電圧に到達せずに充電が完了していない場合（ステップＳ５；Ｎｏ）、ステップＳ３に戻り、各電池セル１１ａ、１１ｂの電圧を均等化しながら各電池モジュール１１を充電する。
【００２４】
次に、図４を参照して急速充電装置１の放電における動作例について説明する。急速充電装置１は、充電が停止されているか否かを判定する（ステップＳ１ａ）。急速充電装置１は、充電が停止されていると判定した場合（ステップＳ１ａ；Ｙｅｓ）、第一電池モジュール１１Ａの電圧ＶＡが第二電池モジュール１１Ｂの電圧ＶＢよりも高いか否かを判定する（ステップＳ２ａ）。急速充電装置１は、第一電池モジュール１１Ａの電圧ＶＡが第二電池モジュール１１Ｂの電圧ＶＢよりも高い場合（ステップＳ２ａ；Ｙｅｓ）、負荷部５を第一電池モジュール１１Ａに接続する（ステップＳ３ａ）。例えば、急速充電装置１は、第一電池モジュール１１Ａの陽極側の第三接点２２ａと負荷部５の陰極側の第五接点２２ｃとを接続し、さらに、負荷部５の陽極側の第八接点２３ｃと第一電池モジュール１１Ａの陰極側の第六接点２３ａとを接続する。このように、急速充電装置１は、第二電池モジュール１１Ｂよりも充電量が多い第一電池モジュール１１Ａを負荷部５に接続する。次に、急速充電装置１は、第一電池モジュール１１ＡのＳＯＣ（充電率；Ｓｔａｔｅ  ｏｆ  ｃｈａｒｇｅ）が所定量（例えば５％〜１０％程度）低下したか、又は、第一電池モジュール１１Ａの電圧ＶＡが放電終止電圧に到達したか否かを判定する（ステップＳ４ａ）。ここで、所定量とは、予め設定され、例えば、各電池モジュール１１において許容できる充電率の差分を示す値である。また、放電終止電圧とは、放電の終止を示す電圧であり、過放電を防止するために予め定められた電圧である。急速充電装置１は、第一電池モジュール１１ＡのＳＯＣが所定量低下するか、又は、第一電池モジュール１１Ａの電圧ＶＡが放電終止電圧に到達した場合（ステップＳ４ａ；Ｙｅｓ）、各電池モジュール１１が放電終止電圧であるか否かを判定する（ステップＳ５ａ）。急速充電装置１は、各電池モジュール１１が放電終止電圧である場合（ステップＳ５ａ；Ｙｅｓ）、放電処理を終了する。
【００２５】
なお、上述のステップＳ１ａで、急速充電装置１は、充電が停止されていないと判定した場合（ステップＳ１；Ｎｏ）、充電が停止されるまで判定を繰り返す。また、上述のステップＳ２ａで、急速充電装置１は、第二電池モジュール１１Ｂの電圧ＶＢが第一電池モジュール１１Ａの電圧ＶＡよりも高い場合（ステップＳ２ａ；Ｎｏ）、負荷部５を第二電池モジュール１１Ｂに接続する（ステップＳ６ａ）。例えば、急速充電装置１は、第二電池モジュール１１Ｂの陽極側の第四接点２２ｂと負荷部５の陰極側の第五接点２２ｃとを接続し、さらに、負荷部５の陽極側の第八接点２３ｃと第二電池モジュール１１Ｂの陰極側の第七接点２３ｂとを接続する。このように、急速充電装置１は、第一電池モジュール１１Ａよりも充電量が多い第二電池モジュール１１Ｂを負荷部５に接続する。次に、急速充電装置１は、第二電池モジュール１１ＢのＳＯＣが所定量（例えば５％〜１０％程度）低下したか、又は、第二電池モジュール１１Ｂの電圧ＶＢが放電終止電圧に到達したか否かを判定する（ステップＳ７ａ）。急速充電装置１は、第二電池モジュール１１ＢのＳＯＣが所定量低下するか、又は、第二電池モジュール１１Ｂの電圧ＶＢが放電終止電圧に到達した場合（ステップＳ７ａ；Ｙｅｓ）、各電池モジュール１１が放電終止電圧であるか否かを判定し（ステップＳ５ａ）、各電池モジュール１１が放電終止電圧である場合（ステップＳ５ａ；Ｙｅｓ）、放電処理を終了する。
【００２６】
また、上述のステップＳ４ａで、急速充電装置１は、第一電池モジュール１１ＡのＳＯＣが所定量低下せず、かつ、第一電池モジュール１１Ａの電圧ＶＡが放電終止電圧に到達していない場合（ステップＳ４ａ；Ｎｏ）、再度、ステップＳ４ａの判定を繰り返す。また、上述のステップＳ５ａで、急速充電装置１は、各電池モジュール１１が放電終止電圧でない場合（ステップＳ５ａ；Ｎｏ）、ステップＳ２ａに戻り、第一電池モジュール１１Ａの電圧ＶＡが第二電池モジュール１１Ｂの電圧ＶＢよりも高いか否かを判定する。また、上述のステップＳ７ａで、急速充電装置１は、第二電池モジュール１１ＢのＳＯＣが所定量低下せず、かつ、第二電池モジュール１１Ｂの電圧ＶＢが放電終止電圧に到達していない場合（ステップＳ７ａ；Ｎｏ）、再度、ステップＳ７ａの判定を繰り返す。
【００２７】
以上のように、実施形態に係る急速充電装置１は、充電の場合には複数の電池モジュール１１を直列に接続し、直列に接続された電池モジュール１１に充電器３を接続し、放電の場合には複数の電池モジュール１１のうち一つの電池モジュール１１を選択して負荷部５に接続する。そして、急速充電装置１は、放電の場合に各電池モジュール１１の充電量を同等にする同等化処理を実行する。これにより、急速充電装置１は、複数の電池モジュール１１の残りの充電量を同等にすることができる。つまり、急速充電装置１は、急速充電を開始するときに充電前の複数の電池モジュール１１の充電量を同等にすることができる。これにより、急速充電装置１は、各電池モジュール１１をそれぞれ満充電とすることができるので蓄電池１０の機能を十分に発揮することができる。従来のように、同等化処理を実行しない場合、蓄電池１０の各電池モジュール１１のうち特定の電池モジュール１１が先に満充電となり、この時点で蓄電池１０の充電が停止され他の電池モジュール１１を満充電とすることができない。これに対し、急速充電装置１は、同等化処理を実行するので、蓄電池１０の各電池モジュール１１のうち特定の電池モジュール１１が先に満充電となることを抑制でき、全ての電池モジュール１１を満充電とすることができる。これにより、急速充電装置１は、急速充電を行う場合に複数の電池モジュール１１を適正に充電することができる。また、急速充電装置１は、複数の電池モジュール１１が個別に負荷部５に接続されるので、充電の場合に複数の電池モジュール１１の電位差を正確に同等とする制御を不要とすることができる。また、急速充電装置１は、放電の場合に並列回路を形成する場合と比較して複数の電池モジュール１１を並列接続するための抵抗や複数の電池モジュール１１の放電のバランスをとるバランシング制御を簡略化することができる。また、急速充電装置１は、電池モジュール１１のいずれか一方が故障しても、他方の電池モジュール１１を使用して充放電することができる。
【００２８】
また、急速充電装置１は、放電の場合に負荷部５に接続された一つの電池モジュール１１の充電量が所定量低下すると、充電量が最も多い電池モジュール１１を負荷部５に接続することで同等化処理を実行する。これにより、急速充電装置１は、各電池モジュール１１の充電量を同等にすることができる。
【００２９】
また、急速充電装置１は、充電の場合には、第一スイッチ２１の第一接点２１ａと第一スイッチ２１の第二接点２１ｂとを接続することで、第一及び第二電池モジュール１１Ａ、１１Ｂを直列に接続した電池モジュール直列回路Ｐを形成して当該電池モジュール直列回路Ｐに充電器３を接続可能にし、放電の場合には、第二スイッチ２２の第三接点２２ａと第二スイッチ２２の第五接点２２ｃとを接続し、かつ、第三スイッチ２３の第八接点２３ｃと第三スイッチ２３の第六接点２３ａとを接続することで、第一電池モジュール１１Ａを負荷部５に接続可能にするか、又は、放電の場合には、第二スイッチ２２の第四接点２２ｂと第二スイッチ２２の第五接点２２ｃとを接続し、かつ、第三スイッチ２３の第八接点２３ｃと第三スイッチ２３の第七接点２３ｂとを接続することで、第二電池モジュール１１Ｂを負荷部５に接続可能にする。これにより、急速充電装置１は、充電の場合に複数の電池モジュール１１を直列に接続して充電器３にすることができると共に、放電の場合に複数の電池モジュール１１を個別に負荷部５に接続することができる。
【００３０】
〔変形例〕
急速充電装置１は、回生制動の場合にモータジェネレータ５ｂにより回生電圧を発生し、コンバータ５ｃにより回生電圧を昇圧して蓄電池１０に電力を充電してもよい。
【００３１】
また、蓄電池１０は、二つの電池モジュール１１を含んで構成される例について説明したが、二つの電池モジュール１１よりも多くの電池モジュール１１を含んで構成されてもよい。また、蓄電池１０の電池セル１１ａ、１１ｂの各々は、同じ電圧である例について説明したが、異なる電圧でもよい。
【符号の説明】
【００３２】
１  急速充電装置
１０  蓄電池
１１  電池モジュール
１１ａ  電池セル
１１Ａ  第一電池モジュール
１１Ｂ  第二電池モジュール
２  車両
２０  切替部
２１  第一スイッチ
２１ａ  第一接点
２１ｂ  第二接点
２２  第二スイッチ
２２ａ  第三接点
２２ｂ  第四接点
２２ｃ  第五接点
２３  第三スイッチ
２３ａ  第六接点
２３ｂ  第七接点
２３ｃ  第八接点
３  充電器  
３０  制御部
５  負荷部
Ｐ  電池モジュール直列回路
【図１】
2018033264.tif 000003
【図２】
2018033264.tif 000004
【図３】
2018033264.tif 000005
【図４】
2018033264.tif 000006